(57)【要約】【課題】雪の重みなどにより雪落し棒を掛止める雪落し棒掛止め具が簡単に変形したり、破損したりすることなく、且つ雪落し棒掛止め具から雪落し棒の脱着が容易な雪落し棒掛止め具を備えた除雪機を提供することにある。【解決手段】雪落し棒掛止め具３０は、雪落し棒３１をオーガハウジング２２へ押圧する板ばね部材４０と、この板ばね部材４０の一端をオーガハウジング２２に結合する結合部材としてのボルト６１並びにウエルドナット６２と、ボルト６１を支点としてオーガハウジング２２から離れる方向（矢印▲１▼）へ片持ち梁状に弾性変形した板ばね部材４０の撓みδを一定量で制限するストッパ部５０と、を主部品とする。【効果】板ばね部材の塑性変形や破損を防止できる。この結果、雪落し棒掛止め具の寿命を延ばし、取扱い易い除雪機を提供することができる。【選択図】        図２
2004339721.tif 000002
【特許請求の範囲】
【請求項１】
雪落し棒を掛止める雪落し棒掛止め具を、オーガを囲うオーガハウジングの外面に備える除雪機において、
前記雪落し棒掛止め具は、雪落し棒をオーガハウジングへ押圧する板ばね部材と、この板ばね部材の一端をオーガハウジングに結合する結合部材と、この結合部材を支点としてオーガハウジングから離れる方向へ片持ち梁状に弾性変形した前記板ばね部材の撓みを一定量で制限するストッパ部と、を含むことを特徴とする除雪機の雪落し棒掛止め具。
【発明の詳細な説明】
【０００１】
【発明の属する技術分野】
本発明は除雪機の雪落し棒を掛止める雪落し棒掛止め具の改良に関する。
【０００２】
【従来の技術】
従来、除雪機の雪落し棒掛止め具は、雪落し棒をクランプで挟んで、そのクランプをオーガハウジングのカバーに固定するものが知られている（例えば、特許文献１参照。）。
【０００３】
【特許文献１】
特公平４−３０４８７号公報（第２、４、５頁、第６、７図）
【０００４】
以上の特許文献１を、図面を参照の上、詳しく説明する。
図８は特許文献１の第６図の再掲図である。ただし、説明の便宜のために符号は振り直す。
１００は除雪機、１０１はオーガ部、１０２はブロワー部、１０３はシュート部、１０４はカバー、１１０は雪落し棒である。
【０００５】
この様な除雪機１００では、オーガ部１０１の回転刃によって前面の雪を掻き取り、それを後方のブロワー部１０２で吸い出しつつ遠心力により外周方向へ放出し、シュート部１０３に沿わせて機外へ飛ばすことで除雪を行う。
オーガ部１０１はカバー１０４で覆われており、カバー１０４の上部に雪落し棒１１０が取付けている。
【０００６】
図９は特許文献１の第７図の再掲図であり、ただし、符号は図８に合わせて振り直す。
１０１はオーガ部、１０２はブロワー部、１０３はシュート部、１０４はカバー部、１０５はクランプ部、１１０は雪落し棒、１１１は溝である。そして、クランプ１０５で、雪落し棒１１０を溝１１１を挟み込むことで、雪落し棒１１０をカバー１０４に取外し可能に取付けたことを示す。
【０００７】
【発明が解決しようとする課題】
特許文献１では、除雪作業時にオーガハウジングのカバー部１０４に雪がかぶさり、この雪が図８のカバー部１０４の傾斜面に沿って滑落し、図９のクランプ１０５をこじ開け、クランプ１０５を変形させる虞がある。変形が著しい場合にはクランプ１０５が破損するため、クランプ１０５を修理・交換する必要があり、修理費用が嵩む。
【０００８】
そこで、本発明の目的は、雪落し棒を掛止める雪落し棒掛止め具の破損を防止することができる雪落し棒掛止め具を提供することにある。
【０００９】
【課題を解決するための手段】
上記目的を達成するために請求項１は、雪落し棒を掛止める雪落し棒掛止め具を、オーガを囲うオーガハウジングの外面に備える除雪機において、前記雪落し棒掛止め具は、雪落し棒をオーガハウジングへ押圧する板ばね部材と、この板ばね部材の一端をオーガハウジングに結合する結合部材と、この結合部材を支点としてオーガハウジングから離れる方向へ片持ち梁状に弾性変形した前記板ばね部材の撓みを一定量で制限するストッパ部とを含むことを特徴とする。
【００１０】
通常は、板ばね部材の作用で、雪落し棒をオーガハウジングの外面に取付けることができる。
雪などにより板ばね部材がオーガハウジングから離れる方向へ開き、且つこの開きの程度が弾性変形領域を超えそうになったときには、ストッパ部が機能してそれ以上の開きを阻止する役割を果たす。
この結果、板ばね部材は塑性変形する虞はなく、変形や破損する心配はない。
従って、板ばね部材の修理や交換に係る修理費用は不要となる。
【００１１】
【発明の実施の形態】
本発明の実施の形態を添付図に基づいて以下に説明する。なお、図面は符号の向きに見るものとする。
図１は本発明に係る除雪機であり、除雪機１０は、機体１１を伝動ケースで構成し、機体１１の下部左右側に走行用の電動モータ１２（左側の電動モータのみを示す）を取付け、左右の電動モータ１２に走行部１３を連結し、機体１１の上部に除雪用のエンジン１４を取付け、エンジン１４で駆動させるオーガ装置２０を機体１１の前部に取付け、このオーガ装置２０の後部及びエンジン１４をカバー１５で覆い、機体１１の上部から後上方へ延びる操作部１６を備え、この操作部１６の後から自力で押して歩く歩行型の除雪作業機である。
【００１２】
オーガ装置２０は、機体１１にブロアハウジング２１を設けると共に、このブロアハウジング２１の前部にオーガハウジング２２を設け、エンジン１４から前方に駆動軸２３を延ばし、この駆動軸２３をブロアハウジング２１を貫通させてオーガハウジング２２内まで延ばし、この駆動軸２３の途中にブロアハウジング２１内に配置したブロア２４を取付け、駆動軸２３の先端を車幅方向中央に配置した動力伝達部材２５（オーガミッション）に連結し、動力伝達部材２５から左右方向に向けてそれぞれ左右のオーガ軸２６（左側のオーガ軸のみを示す）を延ばし、それぞれのオーガ軸２６に左右のオーガ２７（左側のオーガのみを示す）を設けたものである。
【００１３】
除雪機１０は、前進することにより、左右のオーガ２７が雪に食い込み雪を崩し、崩した雪を左右のオーガ２７で車幅方向中央のブロアハウジング２１内に掻き集める。この掻き集めた雪はブロア２４で跳ね上げ、ブロアハウジング２１の上部に設けたシュータ２８を通し、除雪機１０外へ排除することができる。
【００１４】
図中、３０は雪落し棒掛止め具であり、除雪作業時にオーガ装置２０のオーガ軸２６やオーガ２７に付着した雪を取り除くため使用する雪落し棒を固定する手段である。
【００１５】
以下、雪落し棒掛止め具３０を詳しく説明する。
図２は図１の２部拡大図であり、雪落し棒掛止め具３０は、雪落し棒３１をオーガハウジング２２へ押圧する板ばね部材４０と、この板ばね部材４０の一端をオーガハウジング２２に結合する結合部材としてのボルト６１並びにウエルドナット６２と、ボルト６１を支点としてオーガハウジング２２から離れる方向（矢印▲１▼）へ片持ち梁状に弾性変形した板ばね部材４０の撓みδを一定量で制限するストッパ部５０と、を主部品とする手段である。
【００１６】
図３は雪落し棒掛止め具の分解斜視図であり、図２の構成をさらに判り易くするために、分解して個別に説明する。
板ばね部材４０は、固定爪部４１と、平面部４２と、結合部材用穴４３と、固定爪受け穴４４と、雪落し棒支え部４５とから帯板状の弾性部材である。
【００１７】
ストッパ部５０は、平面部５１と、この平面部５１から折曲げ形成した固定爪部５２と、平面部５１の中央に開けた結合部材用穴５３と、平面部５１の左右辺から切り起こした側壁部５６、５６とこれらの側壁部５６、５６の先端に形成した板ばね支え部５４、５４とからなる金属板のプレス部材である。
【００１８】
そして、オーガハウジング２２に開けた矩形の固定穴６４に、固定爪部４１を嵌める要領で、オーガハウジング２２に板ばね部材４０を載せ、この板ばね部材４０の固定爪受け穴４４に、固定爪部５２を嵌める要領で、板ばね部材４０にストッパ部５０を載せる。
次に、ボルト６１を、結合部材用穴５３、４３、６５をこの順で貫通させ、ウエルドナット６２にねじ込む。
【００１９】
この結果、図２に示すとおりに、固定穴６４に固定爪部４１及び固定爪部５２を嵌めたため、部品相互の位置決めが容易になるとともに、組付け後に、過大な力が板ばね部材４０やストッパ部５０に作用しても、板ばね部材４０やストッパ部５０がオーガハウジング２２の外面に沿って移動する心配はなくなる。
【００２０】
図４は図２の４矢視図であり、雪落し棒掛止め具３０は、板ばね部材４０の平面部４２の結合部材用穴４３及び固定爪受け穴４４と、ストッパ部５０の固定爪部５２及び結合部材用穴５３が重ね合わさり、また、板ばね部材４０の雪落し棒支え部４５が雪落し棒３１の雪落し棒凹部３２を挟んで掛止めて、これらの状態で、板ばね部材４０の平面部４２とストッパ部５０の平面部５１をボルト６１とウエルドナット６２（図示ぜず）で締付けた構造の部品であることを示す。
【００２１】
図５は雪落し棒と雪落し棒掛止め具の掛止め状態を示す斜視図であり、雪落し棒３１を２個の雪落し棒掛止め具３０、３０でオーガハウジング２２に固定した状態を示す。  なお、雪落し棒３１には、図左端部にのみ雪落し棒凹部３２を設けた。そうすことにより、長さの異なる雪落し棒３１であっても２個の雪落し棒掛止め具３０、３０に掛止めることができる。
【００２２】
次に、以上の構造からなる雪落し棒掛止め具の作用について説明する。
図６は本発明に係る雪落し棒掛止め具の作用図（その１）であり、除雪機が静止している状態あるいは前進して除雪作業をしていても雪壁７１がそれほど大きくない場合である。
【００２３】
この場合、雪落し棒掛止め具３０の板ばね部材４０の先端４６及び雪落し棒３１は、雪壁７１と一定の間隔があり、接触してない。この結果、除雪作業をしても特に雪落し棒掛止め具３０に負荷は掛からない。
【００２４】
図７は本発明に係る雪落し棒掛止め具の作用図（その２）であり、除雪機が前進して除雪作業をしており、しかも雪壁７１が大きい場合である。
この場合、雪落し棒掛止め具３０においては、雪落し棒３１と共に板ばね部材４０の先端４６は雪壁７１に接触し、雪壁７１の重さで後方へ反り返る。
【００２５】
しかし、ストッパ部５０の板ばね支え部５４は、反り返った板ばね部材４０と接触し、ストッパと板ばねの接点５５において雪落し棒３１と板ばね部材４０の雪落し棒支え部４５を支える。
【００２６】
この結果、板ばね部材４０は弾性変形の範囲内の反りで収り、使用不可になる変形や破損が起こらなくなる。そして、雪落し棒掛止め具３０の寿命を延ばし、取扱い易い除雪機を提供することができる。
【００２７】
尚、雪落し棒掛止め具３０を構成する板ばね部材４０は、細かい寸法や形状は問わないが、オーガハウジング２２から離れる方向へ片持ち梁状に弾性変形した形状で、ばね性を十分に発揮できることが重要である。一例としては、耐食性に優れるばね用ステンレス鋼板（例えばＪＩＳにあるＳＵＳ３０４ＣＳＰ材やＳＵＳ３０１ＣＳＰ材）が採用できる。
【００２８】
さらに、ストッパ部５０は、細かい寸法、形状、材質は問わないが、反り返った板ばね部材４０と雪落し棒３１と雪壁７１の重みをしっかりと支えることのできる部材を必要とする。
【００２９】
【発明の効果】
本発明は上記構成により次の効果を発揮する。
請求項１によれば、通常は、板ばね部材の作用で、雪落し棒をオーガハウジングの外面に取付けることができる。
雪などにより板ばね部材がオーガハウジングから離れる方向へ開き、且つこの開きの程度が弾性変形領域を超えそうになったときには、ストッパ部が機能してそれ以上の開きを阻止する役割を果たす。
この結果、板ばね部材は塑性変形する虞はなく、変形や破損する心配はない。
従って、板ばね部材の修理や交換に係る修理費用は不要となる。
【図面の簡単な説明】
【図１】本発明に係る除雪機
【図２】図１の２部拡大図
【図３】雪落し棒掛止め具の分解斜視図
【図４】図２の４矢視図
【図５】雪落し棒と雪落し棒掛止め具の掛止め状態を示す斜視図
【図６】本発明に係る雪落し棒掛止め具の作用図（その１）
【図７】本発明に係る雪落し棒掛止め具の作用図（その２）
【図８】特許文献１の第６図の再掲図
【図９】特許文献１の第７図の再掲図
【符号の説明】
１０…除雪機、２０…オーガ装置、２２…オーガハウジング、３０…雪落し棒掛止め具、３１…雪落し棒、４０…板ばね部材、４５…雪落し棒支え部、５０…ストッパ部、５４…板ばね支え部、６１…ボルト、６２…ウエルドナット。
【図１】
2004339721.tif 000003
【図２】
2004339721.tif 000004
【図３】
2004339721.tif 000005
【図４】
2004339721.tif 000006
【図５】
2004339721.tif 000007
【図６】
2004339721.tif 000008
【図７】
2004339721.tif 000009
【図８】
2004339721.tif 000010
【図９】
2004339721.tif 000011